【手続補正書】
【提出日】平成18年8月16日(2006.8.16)
【手続補正１】
【補正対象書類名】明細書
【補正対象項目名】特許請求の範囲
【補正方法】変更
【補正の内容】
【特許請求の範囲】
【請求項１】  真菌感染と闘うための医用組成物であって、化合物［（Ｉ）−（ＶＩ）］：
【化１】
2002524503.tif 000001
（式中、Ｒ1およびＲ2は同じであっても異なってもよく、且つＨ、低級アルキル、アリール、アルキルアリール、アミノアルキル、アミノアリール、ハロゲン、オキシアルキル、オキシアリール、およびオキシアリールアルキルからなる群から選択され、
式中、Ｙ5およびＹ6はメタ位またはパラ位で存在し、且つ同じであっても異なってもよく、（ａ）および（ｂ）：
【化２】
2002524503.tif 000002
（式中、各Ｒ22は、Ｈ、低級アルキル、アルコキシアルキル、ヒドロキシアルキル、アミノアルキル、アルキルアミノアルキル、シクロアルキル、アリール、またはアルキルアリールからなる群から互いに独立に選択されるか、あるいは、２つのＲ22基は一緒になってＣ2〜Ｃ10アルキル、ヒドロキシアルキル、またはアルキレンを表し、
Ｒ23はＨ、ヒドロキシ、低級アルキル、アルコキシアルキル、アミノアルキル、アルキルアミノ、アルキルアミノアルキル、シクロアルキル、ヒドロキシシクロアルキル、アルコキシシクロアルキル、アリール、またはアルキルアリールである）および
【化３】
2002524503.tif 000003
（式中、Ｙ3はＮＲ'''およびＯからなる群から選択され、Ｒ'''はＨおよび低級アルキルからなる群から選択され、
Ｙ4は式：
【化４】
2002524503.tif 000004
で表され
式中、Ｒ20はＨ、低級アルキル、アルコキシアルキル、ヒドロキシアルキル、アミノアルキル、アルキルアミノアルキル、シクロアルキル、アリール、またはアルキルアリールからなる群から選択され、
式中、Ｒ21はヒドロキシ、低級アルキル、アルコキシアルキル、ヒドロキシアルキル、アミノアルキル、アルキルアミノ、アルキルアミノアルキル、シクロアルキル、ヒドロキシシクロアルキル、アルコキシシクロアルキル、アリールおよびアルキルアリールからなる群から選択される）
からなる群から選択される式（ａ）または（ｂ）で表される）、
【化５】
2002524503.tif 000005
（式中、Ｙ15およびＹ16は同じであっても異なってもよく、且つ式:
【化６】
2002524503.tif 000006
で表され、
式中、各Ｒ22はＨ、低級アルキル、アルコキシアルキル、ヒドロキシアルキル、アミノアルキル、アルキルアミノアルキル、アルキルアミノ、シクロアルキル、アリール、またはアルキルアリールからなる群から互いに独立に選択されるか、あるいは、２つのＲ22基は一緒になってＣ2〜Ｃ10アルキル、ヒドロキシアルキル、またはアルキレンを表し、
Ｒ23はＨ、ヒドロキシ、低級アルキル、アルコキシアルキル、アミノアルキル、アルキルアミノ、アルキルアミノアルキル、シクロアルキル、ヒドロキシシクロアルキル、アルコキシシクロアルキル、アリール、またはアルキルアリールである）、
【化７】
2002524503.tif 000007
（式中、各Ｒ25はＨ、低級アルキル、アルコキシアルキル、ヒドロキシアルキル、アミノアルキル、アルキルアミノアルキル、シクロアルキル、アリール、またはアルキルアリールからなる群から互いに独立に選択されるか、あるいは、２つのＲ25基は一緒になって、置換された又は未置換のＣ2〜Ｃ10アルキル、ヒドロキシアルキル、またはアルキレンを表し、
Ｒ26はＨ、ヒドロキシ、低級アルキル、アルコキシアルキル、アミノアルキル、アルキルアミノ、アルキルアミノアルキル、シクロアルキル、ヒドロキシシクロアルキル、アルコキシシクロアルキル、アリール、またはアルキルアリールであり、
Ｒ''はヒドロキシ、アルコキシアルキル、ヒドロキシアルキル、アルコキシアリール、アリール、または式（ｉ）：
【化８】
2002524503.tif 000008
および式（ii）：
【化９】
2002524503.tif 000009
（式中、ｎおよびｍは互いに独立に選択されてもよく、且つそれぞれ０〜６の範囲であり、
各Ｒ22はＨ、低級アルキル、アルコキシアルキル、ヒドロキシアルキル、アミノアルキル、アルキルアミノアルキル、シクロアルキル、アリール、またはアルキルアリールからなる群から互いに独立に選択されるか、あるいは、２つのＲ22基は一緒になってＣ2〜Ｃ10アルキル、ヒドロキシアルキル、またはアルキレンを
表し、およびＲ23はＨ、ヒドロキシ、低級アルキル、アルコキシアルキル、アミノアルキル、アルキルアミノ、アルキルアミノアルキル、シクロアルキル、ヒドロキシシクロアルキル、アルコキシシクロアルキル、アリール、またはアルキルアリールである））、
【化１０】
2002524503.tif 000010
（式中:
ｎは２〜６であり、
ＸはＯ、ＮＨ、およびＳからなる群から選択され、
Ｙ9およびＹ10はメタ位であってもパラ位であってもよく、且つ互いに独立に選択され、それぞれ式:
【化１１】
2002524503.tif 000011
で表され、
式中、各Ｒ30はＨ、ヒドロキシ、低級アルキル、オキシアルキル、アルコキシアルキル、シクロアルキル、アリール、ヒドロキシアルキル、アミノアルキル、およびアルキルアミノアルキルからなる群から選択され、且つ２つのＲ30基はそれぞれ一緒になってＣ2〜Ｃ10アルキル、ヒドロキシアルキル、またはアルキレンを表すことができ
式中、Ｒ31はＨ、ヒドロキシ、低級アルキル、アルコキシアルキル、アミノアルキル、アルキルアミノ、アルキルアミノアルキル、シクロアルキル、ヒドロキシシクロアルキル、アルコキシシクロアルキル、アリール、またはアルキルアリールからなる群から選択され、
式中Ｒ3およびＲ4は、同じであっても異なってもよく且つＨ、アミノニトロ、低級アルキル、アルコキシアルキル、ヒドロキシアルキル、アミノアルキル、アルキルアミノアルキル、シクロアルキル、アリール、またはアルキルアリールからなる群から選択される）、
【化１２】
2002524503.tif 000012
（式中、ＸはＯであっても、ＮＨであっても、またはＳであってもよく、ｎおよびｍは同じであっても異なってもよく且つ２〜６の範囲であり、
式中、Ｙ11およびＹ12は同じであっても異なってもよく、且つ式:
【化１３】
2002524503.tif 000013
で表され、
ここで、各Ｒ30はＨ、低級アルキル、オキシアルキル、アルコキシアルキル、シクロアルキル、アリール、ヒドロキシアルキル、アミノアルキル、およびアルキルアミノアルキルからなる群から選択され、２つのＲ30基はそれぞれ一緒になってＣ2〜Ｃ10アルキル、ヒドロキシアルキル、またはアルキレンを表してもよく、
Ｒ31はＨ、ヒドロキシ、低級アルキル、アルコキシアルキル、アミノアルキル、アルキルアミノ、アルキルアミノアルキル、シクロアルキル、ヒドロキシシクロアルキル、アルコキシシクロアルキル、アリール、またはアルキルアリールからなる群から選択され、
式中、Ｒ5はＨ、ヒドロキシ、および
【化１４】
2002524503.tif 000014
（式中、ｎは０〜３の範囲である）
からなる群から選択される）、
【化１５】
2002524503.tif 000015
（式中、Ｘは、Ｃ1〜Ｃ12線状または分枝状の、飽和または４個までの二重結合を含む不飽和の、アルキルであるか、または置換されたまたは未置換のアリールであり、
式中Ｙ13およびＹ14は、同じであっても異なってもよく、且つ式：
【化１６】
2002524503.tif 000016
で表され、
式中、Ｒ40およびＲ42は、それぞれ、Ｈ、低級アルキル、シクロアルキル、置換アリール、および未置換のアリールからなる群から互いに独立に選択されるか、あるいは、Ｒ40およびＲ42は一緒になってＣ2〜Ｃ10アルキル、ヒドロキシアルキル、アルキレン、置換アリール、または未置換のアリールを表してもよく、
式中、Ｒ41はＨ、ヒドロキシ、低級アルキル、アルコキシアルキル、アミノアルキル、アルキルアミノ、アルキルアミノアルキル、シクロアルキル、ヒドロキシシクロアルキル、アルコキシシクロアルキル、アリール、またはアルキルアリールであってもよい）
からなる群から選択される化合物の真菌感染と闘うのに有効な量を含む、治療を必要とする対象者における真菌感染と闘うための医用組成物。
【請求項２】  前記真菌感染が、カンディダ・アルビカンス（Ｃａｎｄｉｄａ  ａｌｂｉｃａｎｓ），クリィプトコカス・ネオフォーマンス（Ｃｒｙｐｔｏｃｏｃｃｕｓ  ｎｅｏｆｏｒｍａｎｓ），アスパーギラス・フミガタス（Ａｓｐｅｒｇｉｌｌｕｓ  ｆｕｍｉｇａｔｕｓ），フサリウム・ソラニ（Ｆｕｓａｒｉｕｍ  ｓｏｌａｎｉ）、およびそれらの組み合せからなる群から選択される、請求項１に記載の医用組成物。
【請求項３】  前記化合物が式：
【化１７】
2002524503.tif 000017
（式中、Ｒ1およびＲ2は同じであっても異なってもよく、且つＨ、低級アルキル、アリール、アルキルアリール、アミノアルキル、アミノアリール、ハロゲン、オキシアルキル、オキシアリール、およびオキシアリールアルキルからなる群から選択され、
式中、Ｙ5およびＹ6はメタ位またはパラ位で存在し、且つ同じであっても異なってもよく、（ａ）および（ｂ）：
【化１８】
2002524503.tif 000018
（式中、各Ｒ22は、Ｈ、低級アルキル、アルコキシアルキル、ヒドロキシアルキル、アミノアルキル、アルキルアミノアルキル、シクロアルキル、アリール、またはアルキルアリールからなる群から互いに独立に選択されるか、あるいは、２つのＲ22基は一緒になってＣ2〜Ｃ10アルキル、ヒドロキシアルキル、またはアルキレンを表し、
Ｒ23はＨ、ヒドロキシ、低級アルキル、アルコキシアルキル、アミノアルキル、アルキルアミノ、アルキルアミノアルキル、シクロアルキル、ヒドロキシシクロアルキル、アルコキシシクロアルキル、アリール、またはアルキルアリールである）および
【化１９】
2002524503.tif 000019
（式中、Ｙ3はＮＲ'''およびＯからなる群から選択され、Ｒ'''はＨおよび低級アルキルからなる群から選択され、
Ｙ4は式：
【化２０】
2002524503.tif 000020
で表され
式中、Ｒ20はＨ、低級アルキル、アルコキシアルキル、ヒドロキシアルキル、アミノアルキル、アルキルアミノアルキル、シクロアルキル、アリール、またはアルキルアリールからなる群から選択され、
式中、Ｒ21はヒドロキシ、低級アルキル、アルコキシアルキル、ヒドロキシアルキル、アミノアルキル、アルキルアミノ、アルキルアミノアルキル、シクロアルキル、ヒドロキシシクロアルキル、アルコキシシクロアルキル、アリールおよびアルキルアリールからなる群から選択される）
からなる群から選択される式（ａ）または（ｂ）で表される）
で表される、請求項１に記載の医用組成物。
【請求項４】  前記化合物が、式：
【化２１】
2002524503.tif 000021
（式中、Ｙ15およびＹ16は同じであっても異なってもよく、且つ式:
【化２２】
2002524503.tif 000022
で表され、
式中:
各Ｒ22はＨ、低級アルキル、アルコキシアルキル、ヒドロキシアルキル、アミノアルキル、アルキルアミノアルキル、アルキルアミノ、シクロアルキル、アリール、またはアルキルアリールからなる群から互いに独立に選択されるか、または２つのＲ22基は一緒になってＣ2〜Ｃ10アルキル、ヒドロキシアルキル、またはアルキレンを表し、
Ｒ23はＨ、ヒドロキシ、低級アルキル、アルコキシアルキル、アミノアルキル、アルキルアミノ、アルキルアミノアルキル、シクロアルキル、ヒドロキシシクロアルキル、アルコキシシクロアルキル、アリール、またはアルキルアリールである）
で表される、請求項１に記載の医用組成物。
【請求項５】  前記化合物が式：
【化２３】
2002524503.tif 000023
（式中、各Ｒ25はＨ、低級アルキル、アルコキシアルキル、ヒドロキシアルキル、アミノアルキル、アルキルアミノアルキル、シクロアルキル、アリール、またはアルキルアリールからなる群から互いに独立に選択されるか、あるいは、２つのＲ25基は一緒になって、置換されたまたは未置換のＣ2〜Ｃ10アルキル、ヒドロキシアルキル、またはアルキレンを表し、
Ｒ26はＨ、ヒドロキシ、低級アルキル、アルコキシアルキル、アミノアルキル、アルキルアミノ、アルキルアミノアルキル、シクロアルキル、ヒドロキシシクロアルキル、アルコキシシクロアルキル、アリール、またはアルキルアリールであり、
Ｒ''はヒドロキシ、アルコキシアルキル、ヒドロキシアルキル、アルコキシアリール、アリール、または式（ｉ）：
【化２４】
2002524503.tif 000024
および式（ii）：
【化２５】
2002524503.tif 000025
（式中、ｎおよびｍは互いに独立に選択されてもよく、且つそれぞれ０〜６の範囲であり、
各Ｒ22はＨ、低級アルキル、アルコキシアルキル、ヒドロキシアルキル、アミノアルキル、アルキルアミノアルキル、シクロアルキル、アリール、またはアルキルアリールからなる群から互いに独立に選択されるか、または２つのＲ22基は一緒になってＣ2〜Ｃ10アルキル、ヒドロキシアルキル、またはアルキレンを表し、およびＲ23はＨ、ヒドロキシ、低級アルキル、アルコキシアルキル、アミノアルキル、アルキルアミノ、アルキルアミノアルキル、シクロアルキル、ヒドロキシシクロアルキル、アルコキシシクロアルキル、アリール、またはアルキルアリールである））
で表される、請求項１に記載の医用組成物。
【請求項６】  前記化合物が、式：
【化２６】
2002524503.tif 000026
（式中:
ｎは２〜６であり、
ＸはＯ、ＮＨ、およびＳからなる群から選択され、
Ｙ9およびＹ10はメタ位であってもパラ位であってもよく、且つ互いに独立に選択され、それぞれ式:
【化２７】
2002524503.tif 000027
で表され、
式中、各Ｒ30はＨ、ヒドロキシ、低級アルキル、オキシアルキル、アルコキシアルキル、シクロアルキル、アリール、ヒドロキシアルキル、アミノアルキル、およびアルキルアミノアルキルからなる群から選択され、且つ２つのＲ30基はそれぞれ一緒になってＣ2〜Ｃ10アルキル、ヒドロキシアルキル、またはアルキレンを表すものでもよく、
式中、Ｒ31はＨ、ヒドロキシ、低級アルキル、アルコキシアルキル、アミノアルキル、アルキルアミノ、アルキルアミノアルキル、シクロアルキル、ヒドロキシシクロアルキル、アルコキシシクロアルキル、アリール、またはアルキルアリールからなる群から選択され、
式中Ｒ3およびＲ4は、同じであっても異なってもよく且つＨ、アミノニトロ、低級アルキル、アルコキシアルキル、ヒドロキシアルキル、アミノアルキル、アルキルアミノアルキル、シクロアルキル、アリール、またはアルキルアリールからなる群から選択される）
で表される、請求項１に記載の医用組成物。
【請求項７】  前記化合物が式：
【化２８】
2002524503.tif 000028
（式中、ＸはＯであっても、ＮＨであっても、またはＳであってもよく、ｎおよびｍは同じであっても異なってもよく且つ２〜６の範囲であり、
式中、Ｙ11およびＹ12は同じであっても異なってもよく、且つ式:
【化２９】
2002524503.tif 000029
で表され、
ここで、各Ｒ30はＨ、低級アルキル、オキシアルキル、アルコキシアルキル、シクロアルキル、アリール、ヒドロキシアルキル、アミノアルキル、およびアルキルアミノアルキルからなる群から選択され、２つのＲ30基はそれぞれ一緒になってＣ2〜Ｃ10アルキル、ヒドロキシアルキル、またはアルキレンを表してもよく、
Ｒ31はＨ、ヒドロキシ、低級アルキル、アルコキシアルキル、アミノアルキル、アルキルアミノ、アルキルアミノアルキル、シクロアルキル、ヒドロキシシクロアルキル、アルコキシシクロアルキル、アリール、またはアルキルアリールからなる群から選択され、
式中、Ｒ5はＨ、ヒドロキシ、および
【化３０】
2002524503.tif 000030
（式中、ｎは０〜３の範囲である）
からなる群から選択される）
で表される、請求項１に記載の医用組成物。
【請求項８】  前記化合物が、式：
【化３１】
2002524503.tif 000031
（式中、Ｘは、Ｃ1〜Ｃ12線状または分枝状の、飽和または４個までの二重結合を含む不飽和の、アルキルであるか、または置換されたまたは未置換のアリールであり、
式中Ｙ13およびＹ14は、同じであっても異なってもよく、且つ式：
【化３２】
2002524503.tif 000032
で表され、
式中、Ｒ40およびＲ42は、それぞれ、Ｈ、低級アルキル、シクロアルキル、置換アリール、および未置換のアリールからなる群から互いに独立に選択されるか、またはＲ40およびＲ42は一緒になってＣ2〜Ｃ10アルキル、ヒドロキシアルキル、アルキレン、置換アリール、または未置換のアリールを表してもよく、
式中、Ｒ41はＨ、ヒドロキシ、低級アルキル、アルコキシアルキル、アミノアルキル、アルキルアミノ、アルキルアミノアルキル、シクロアルキル、ヒドロキシシクロアルキル、アルコキシシクロアルキル、アリール、またはアルキルアリールであってもよい）
で表される、請求項１に記載の医用組成物。
【請求項９】  真菌感染と闘うための医用組成物であって、化合物［（Ｉ）−（Ｖl）］
【化３３】
2002524503.tif 000033
（式中、Ｒ1およびＲ2は同じであっても異なってもよく、且つＨ、低級アルキル、アリール、アルキルアリール、アミノアルキル、アミノアリール、ハロゲン、オキシアルキル、オキシアリール、およびオキシアリールアルキルからなる群から選択され、
式中、Ｙ5およびＹ6はメタ位またはパラ位で存在し、且つ同じであっても異なってもよく、（ａ）および（ｂ）：
【化３４】
2002524503.tif 000034
（式中、
各Ｒ22は、Ｈ、低級アルキル、アルコキシアルキル、ヒドロキシアルキル、アミノアルキル、アルキルアミノアルキル、シクロアルキル、アリール、またはアルキルアリールからなる群から互いに独立に選択されるか、２つのＲ22基は一緒になってＣ2〜Ｃ10アルキル、ヒドロキシアルキル、またはアルキレンを表し、
Ｒ23はＨ、ヒドロキシ、低級アルキル、アルコキシアルキル、アミノアルキル、アルキルアミノ、アルキルアミノアルキル、シクロアルキル、ヒドロキシシクロアルキル、アルコキシシクロアルキル、アリール、またはアルキルアリールである）および
【化３５】
2002524503.tif 000035
（式中、Ｙ3はＮＲ'''およびＯからなる群から選択され、Ｒ'''はＨおよび低級アルキルからなる群から選択され、
Ｙ4は式：
【化３６】
2002524503.tif 000036
で表され
式中、Ｒ20はＨ、低級アルキル、アルコキシアルキル、ヒドロキシアルキル、アミノアルキル、アルキルアミノアルキル、シクロアルキル、アリール、またはアルキルアリールからなる群から選択され、
式中、Ｒ21はヒドロキシ、低級アルキル、アルコキシアルキル、ヒドロキシアルキル、アミノアルキル、アルキルアミノ、アルキルアミノアルキル、シクロアルキル、ヒドロキシシクロアルキル、アルコキシシクロアルキル、アリールおよびアルキルアリールからなる群から選択される）
からなる群から選択される式（ａ）または（ｂ）で表される）、
【化３７】
2002524503.tif 000037
（式中、Ｙ15およびＹ16は同じであっても異なってもよく、且つ式:
【化３８】
2002524503.tif 000038
で表され、
式中:
各Ｒ22はＨ、低級アルキル、アルコキシアルキル、ヒドロキシアルキル、アミノアルキル、アルキルアミノアルキル、アルキルアミノ、シクロアルキル、アリール、またはアルキルアリールからなる群から互いに独立に選択されるか、あるいは、２つのＲ22基は一緒になってＣ2〜Ｃ10アルキル、ヒドロキシアルキル、またはアルキレンを表し、
Ｒ23はＨ、ヒドロキシ、低級アルキル、アルコキシアルキル、アミノアルキル、アルキルアミノ、アルキルアミノアルキル、シクロアルキル、ヒドロキシシクロアルキル、アルコキシシクロアルキル、アリール、またはアルキルアリールである）、
【化３９】
2002524503.tif 000039
（式中、各Ｒ25はＨ、低級アルキル、アルコキシアルキル、ヒドロキシアルキル、アミノアルキル、アルキルアミノアルキル、シクロアルキル、アリール、またはアルキルアリールからなる群から互いに独立に選択されるか、または２つのＲ25基は一緒になって、置換されたまたは未置換のＣ2〜Ｃ10アルキル、ヒドロキシアルキル、またはアルキレンを表し、
Ｒ26はＨ、ヒドロキシ、低級アルキル、アルコキシアルキル、アミノアルキル、アルキルアミノ、アルキルアミノアルキル、シクロアルキル、ヒドロキシシクロアルキル、アルコキシシクロアルキル、アリール、またはアルキルアリールであり、
Ｒ''はヒドロキシ、アルコキシアルキル、ヒドロキシアルキル、アルコキシアリール、アリール、または式（ｉ）：
【化４０】
2002524503.tif 000040
および式（ii）：
【化４１】
2002524503.tif 000041
（式中、ｎおよびｍは互いに独立に選択されてもよく、且つそれぞれ０〜６の範囲であり、
各Ｒ22はＨ、低級アルキル、アルコキシアルキル、ヒドロキシアルキル、アミノアルキル、アルキルアミノアルキル、シクロアルキル、アリール、またはアルキルアリールからなる群から互いに独立に選択されるか、または２つのＲ22基は一緒になってＣ2〜Ｃ10アルキル、ヒドロキシアルキル、またはアルキレンを表し、およびＲ23はＨ、ヒドロキシ、低級アルキル、アルコキシアルキル、アミノアルキル、アルキルアミノ、アルキルアミノアルキル、シクロアルキル、ヒドロキシシクロアルキル、アルコキシシクロアルキル、アリール、またはアルキルアリールである））、
【化４２】
2002524503.tif 000042
（式中、ｎは２〜６であり、
ＸはＯ、ＮＨ、およびＳからなる群から選択され、
Ｙ9およびＹ10はメタ位であってもパラ位であってもよく、且つ互いに独立に選択され、それぞれ式:
【化４３】
2002524503.tif 000043
で表され、
式中、各Ｒ30はＨ、ヒドロキシ、低級アルキル、オキシアルキル、アルコキシアルキル、シクロアルキル、アリール、ヒドロキシアルキル、アミノアルキル、およびアルキルアミノアルキルからなる群から選択され、且つ２つのＲ30基はそれぞれ一緒になってＣ2〜Ｃ10アルキル、ヒドロキシアルキル、またはアルキレンを表すことができ
式中、Ｒ31はＨ、ヒドロキシ、低級アルキル、アルコキシアルキル、アミノアルキル、アルキルアミノ、アルキルアミノアルキル、シクロアルキル、ヒドロキシシクロアルキル、アルコキシシクロアルキル、アリール、またはアルキルアリールからなる群から選択され、
式中Ｒ3およびＲ4は、同じであっても異なってもよく且つＨ、アミノニトロ、低級アルキル、アルコキシアルキル、ヒドロキシアルキル、アミノアルキル、アルキルアミノアルキル、シクロアルキル、アリール、またはアルキルアリールからなる群から選択される）、
【化４４】
2002524503.tif 000044
（式中、ＸはＯであっても、ＮＨであっても、またはＳであってもよく、ｎおよびｍは同じであっても異なってもよく且つ２〜６の範囲であり、
式中、Ｙ11およびＹ12は同じであっても異なってもよく、且つ式:
【化４５】
2002524503.tif 000045
で表され、
ここで、各Ｒ30はＨ、低級アルキル、オキシアルキル、アルコキシアルキル、シクロアルキル、アリール、ヒドロキシアルキル、アミノアルキル、およびアルキルアミノアルキルからなる群から選択され、２つのＲ30基はそれぞれ一緒になってＣ2〜Ｃ10アルキル、ヒドロキシアルキル、またはアルキレンを表してもよく、
Ｒ31はＨ、ヒドロキシ、低級アルキル、アルコキシアルキル、アミノアルキル、アルキルアミノ、アルキルアミノアルキル、シクロアルキル、ヒドロキシシクロアルキル、アルコキシシクロアルキル、アリール、またはアルキルアリールからなる群から選択され、
式中、Ｒ5はＨ、ヒドロキシ、および
【化４６】
2002524503.tif 000046
（式中、ｎは０〜３の範囲である）
からなる群から選択される）、
【化４７】
2002524503.tif 000047
（式中、Ｘは、Ｃ1〜Ｃ12線状または分枝状の、飽和または最大４個までの二重結合を含む不飽和の、アルキルであるか、または置換されたまたは未置換のアリールであり、
式中Ｙ13およびＹ14は、同じであっても異なってもよく、且つ式：
【化４８】
2002524503.tif 000048
で表され、
式中、Ｒ40およびＲ42は、それぞれ、Ｈ、低級アルキル、シクロアルキル、置換アリール、および未置換のアリールからなる群から互いに独立に選択されるか、またはＲ40およびＲ42は一緒になってＣ2〜Ｃ10アルキル、ヒドロキシアルキル、アルキレン、置換アリール、または未置換のアリールを表してもよく、
式中、Ｒ41はＨ、ヒドロキシ、低級アルキル、アルコキシアルキル、アミノアルキル、アルキルアミノ、アルキルアミノアルキル、シクロアルキル、ヒドロキシシクロアルキル、アルコキシシクロアルキル、アリール、またはアルキルアリールであってもよい）
からなる群から選択される化合物の真菌感染と闘うのに有効な量を含む、治療を必要とする対象者における、カンディダ・アルビカンス（Ｃａｎｄｉｄａ  ａｌｂｉｃａｎｓ）およびクリィプトコカス・ネオフォーマンス（Ｃｒｙｐｔｏｃｏｃｃｕｓ  ｎｅｏｆｏｒｍａｎｓ）からなる群から選択される真菌感染と闘うための医用組成物。
【請求項１０】  前記化合物が、式：
【化４９】
2002524503.tif 000049
（式中、Ｒ1およびＲ2は同じであっても異なってもよく、且つＨ、低級アルキル、アリール、アルキルアリール、アミノアルキル、アミノアリール、ハロゲン、オキシアルキル、オキシアリール、およびオキシアリールアルキルからなる群か
ら選択され、
式中、Ｙ5およびＹ6はメタ位またはパラ位で存在し、且つ同じであっても異なってもよく、（ａ）および（ｂ）：
【化５０】
2002524503.tif 000050
（式中、
各Ｒ22は、Ｈ、低級アルキル、アルコキシアルキル、ヒドロキシアルキル、アミノアルキル、アルキルアミノアルキル、シクロアルキル、アリール、またはアルキルアリールからなる群から互いに独立に選択されるか、２つのＲ22基は一緒になってＣ2〜Ｃ10アルキル、ヒドロキシアルキル、またはアルキレンを表し、
Ｒ23はＨ、ヒドロキシ、低級アルキル、アルコキシアルキル、アミノアルキル、アルキルアミノ、アルキルアミノアルキル、シクロアルキル、ヒドロキシシクロアルキル、アルコキシシクロアルキル、アリール、またはアルキルアリールである）および
【化５１】
2002524503.tif 000051
（式中、Ｙ3はＮＲ'''およびＯからなる群から選択され、Ｒ'''はＨおよび低級アルキルからなる群から選択され、
Ｙ4は式：
【化５２】
2002524503.tif 000052
で表され
式中、Ｒ20はＨ、低級アルキル、アルコキシアルキル、ヒドロキシアルキル、アミノアルキル、アルキルアミノアルキル、シクロアルキル、アリール、またはアルキルアリールからなる群から選択され、
式中、Ｒ21はヒドロキシ、低級アルキル、アルコキシアルキル、ヒドロキシアルキル、アミノアルキル、アルキルアミノ、アルキルアミノアルキル、シクロアルキル、ヒドロキシシクロアルキル、アルコキシシクロアルキル、アリールおよびアルキルアリールからなる群から選択される）
からなる群から選択される式（ａ）または（ｂ）で表される）
で表される、請求項９に記載の医用組成物。
【請求項１１】  前記化合物が、式：
【化５３】
2002524503.tif 000053
（式中、Ｙ15およびＹ16は同じであっても異なってもよく、且つ式:
【化５４】
2002524503.tif 000054
で表され、
式中、各Ｒ22はＨ、低級アルキル、アルコキシアルキル、ヒドロキシアルキル、アミノアルキル、アルキルアミノアルキル、アルキルアミノ、シクロアルキル、アリール、またはアルキルアリールからなる群から互いに独立に選択されるか、あるいは、２つのＲ22基は一緒になってＣ2〜Ｃ10アルキル、ヒドロキシアルキル、またはアルキレンを表し、
Ｒ23はＨ、ヒドロキシ、低級アルキル、アルコキシアルキル、アミノアルキル、アルキルアミノ、アルキルアミノアルキル、シクロアルキル、ヒドロキシシクロアルキル、アルコキシシクロアルキル、アリール、またはアルキルアリールである）
で表される、請求項９に記載の医用組成物。
【請求項１２】  前記化合物が式：
【化５５】
2002524503.tif 000055
（式中、各Ｒ25はＨ、低級アルキル、アルコキシアルキル、ヒドロキシアルキル、アミノアルキル、アルキルアミノアルキル、シクロアルキル、アリール、またはアルキルアリールからなる群から互いに独立に選択されるか、または２つのＲ25基は一緒になって、置換されたまたは未置換のＣ2〜Ｃ10アルキル、ヒドロキシアルキル、またはアルキレンを表し、
Ｒ26はＨ、ヒドロキシ、低級アルキル、アルコキシアルキル、アミノアルキル、アルキルアミノ、アルキルアミノアルキル、シクロアルキル、ヒドロキシシクロアルキル、アルコキシシクロアルキル、アリール、またはアルキルアリールであり、
Ｒ''はヒドロキシ、アルコキシアルキル、ヒドロキシアルキル、アルコキシアリール、アリール、または式（ｉ）：
【化５６】
2002524503.tif 000056
および式（ii）：
【化５７】
2002524503.tif 000057
（式中、ｎおよびｍは互いに独立に選択されてもよく、且つそれぞれ０〜６の範囲であり、
各Ｒ22はＨ、低級アルキル、アルコキシアルキル、ヒドロキシアルキル、アミノアルキル、アルキルアミノアルキル、シクロアルキル、アリール、またはアルキルアリールからなる群から互いに独立に選択されるか、または２つのＲ22基は一緒になってＣ2〜Ｃ10アルキル、ヒドロキシアルキル、またはアルキレンを表し、およびＲ23はＨ、ヒドロキシ、低級アルキル、アルコキシアルキル、アミノアルキル、アルキルアミノ、アルキルアミノアルキル、シクロアルキル、ヒドロキシシクロアルキル、アルコキシシクロアルキル、アリール、またはアルキルアリールである））
で表される、請求項９に記載の医用組成物。
【請求項１３】  前記化合物が式：
【化５８】
2002524503.tif 000058
（式中、ｎは２〜６であり、
ＸはＯ、ＮＨ、およびＳからなる群から選択され、
Ｙ9およびＹ10はメタ位であってもパラ位であってもよく、且つ互いに独立に選択され、それぞれ式:
【化５９】
2002524503.tif 000059
で表され、
ここで、各Ｒ30はＨ、ヒドロキシ、低級アルキル、オキシアルキル、アルコキシアルキル、シクロアルキル、アリール、ヒドロキシアルキル、アミノアルキル、およびアルキルアミノアルキルからなる群から選択され、且つ２つのＲ30基はそれぞれ一緒になってＣ2〜Ｃ10アルキル、ヒドロキシアルキル、またはアルキレンを表すものであってもよく、
Ｒ31はＨ、ヒドロキシ、低級アルキル、アルコキシアルキル、アミノアルキル、アルキルアミノ、アルキルアミノアルキル、シクロアルキル、ヒドロキシシクロアルキル、アルコキシシクロアルキル、アリール、またはアルキルアリールからなる群から選択され、
式中、Ｒ3およびＲ4は、同じであっても異なってもよく且つＨ、アミノニトロ、低級アルキル、アルコキシアルキル、ヒドロキシアルキル、アミノアルキル、アルキルアミノアルキル、シクロアルキル、アリール、またはアルキルアリールからなる群から選択される）
で表される、請求項９に記載の医用組成物。
【請求項１４】  前記化合物が、式：
【化６０】
2002524503.tif 000060
（式中、ＸはＯであっても、ＮＨであっても、またはＳであってもよく、ｎおよびｍは同じであっても異なってもよく且つ２〜６の範囲であり、
式中、Ｙ11およびＹ12は同じであっても異なってもよく、且つ式:
【化６１】
2002524503.tif 000061
で表され、
ここで、各Ｒ30はＨ、低級アルキル、オキシアルキル、アルコキシアルキル、シクロアルキル、アリール、ヒドロキシアルキル、アミノアルキル、およびアルキルアミノアルキルからなる群から選択され、２つのＲ30基はそれぞれ一緒になってＣ2〜Ｃ10アルキル、ヒドロキシアルキル、またはアルキレンを表してもよく、
Ｒ31はＨ、ヒドロキシ、低級アルキル、アルコキシアルキル、アミノアルキル、アルキルアミノ、アルキルアミノアルキル、シクロアルキル、ヒドロキシシクロアルキル、アルコキシシクロアルキル、アリール、またはアルキルアリールからなる群から選択され、
式中、Ｒ5はＨ、ヒドロキシ、および
【化６２】
2002524503.tif 000062
（式中、ｎは０〜３の範囲である）
からなる群から選択される）
で表される、請求項９に記載の医用組成物。
【請求項１５】  前記化合物が式：
【化６３】
2002524503.tif 000063
（式中、Ｘは、Ｃ1〜Ｃ12線状または分枝状の、飽和または４個までの二重結合
を含む不飽和の、アルキルであるか、または置換されたまたは未置換のアリール
であり、
式中Ｙ13およびＹ14は、同じであっても異なってもよく、且つ式：
【化６４】
2002524503.tif 000064
で表され、
式中、Ｒ40およびＲ42は、それぞれ、Ｈ、低級アルキル、シクロアルキル、置換アリール、および未置換のアリールからなる群から互いに独立に選択されるか、またはＲ40およびＲ42は一緒になってＣ2〜Ｃ10アルキル、ヒドロキシアルキル、アルキレン、置換アリール、または未置換のアリールを表してもよく、
式中、Ｒ41はＨ、ヒドロキシ、低級アルキル、アルコキシアルキル、アミノアルキル、アルキルアミノ、アルキルアミノアルキル、シクロアルキル、ヒドロキシシクロアルキル、アルコキシシクロアルキル、アリール、またはアルキルアリールであってもよい）
で表される、請求項９に記載の医用組成物。
【請求項１６】  式
【化６５】
2002524503.tif 000065
（式中、Ｙ15およびＹ16は同じであっても異なってもよく、且つ式:
【化６６】
2002524503.tif 000066
で表され、
式中:
各Ｒ22はＨ、低級アルキル、アルコキシアルキル、ヒドロキシアルキル、アミノアルキル、アルキルアミノ、アルキルアミノアルキル、シクロアルキル、アリール、またはアルキルアリールからなる群から互いに独立に選択されるか、または２つのＲ22基は一緒になってＣ2〜Ｃ10アルキル、ヒドロキシアルキル、またはアルキレンを表し、
Ｒ23はＨ、ヒドロキシ、低級アルキル、アルコキシアルキル、アミノアルキル、アルキルアミノ、アルキルアミノアルキル、シクロアルキル、ヒドロキシシクロアルキル、アルコキシシクロアルキル、アリール、またはアルキルアリールである）
で表される、真菌の治療を必要とする対象者に投与するための化合物、および、
それらの薬学的に許容できる塩類。
【請求項１７】  請求項１６に記載の化合物の治療有効量を、薬学的に許容できる担体中に含む医用組成物。